(57)【特許請求の範囲】
【請求項１】
エスカレータの移動手摺の下に設けられた照明を収容するエスカレータ用照明カバー装置であって、
前記移動手摺の下において前記移動手摺の長手方向に沿って設けられた取付部と、
前記長手方向に沿って前記取付部の下方に取り付けられ、前記移動手摺の下に設けられた前記照明を覆う照明カバーと、
前記取付部及び前記照明カバーのうちの少なくとも一方に設けられ、磁力によって前記照明カバーを前記取付部に取り付ける磁石と、
を備え、
前記照明カバーは布状の部材であり、
前記照明カバーの前記長手方向の両端部には、前記照明カバーを保持しつつ前記両端部における前記照明カバーの変形を規制する第１の保持部材が設けられており、
前記照明カバーの前記長手方向に沿って所定間隔毎に、前記照明カバーを保持しつつ前記照明カバーの変形を規制する第２の保持部材が設けられている、
ことを特徴とするエスカレータ用照明カバー装置。
【請求項２】
請求項１に記載のエスカレータ用照明カバー装置であって、
前記磁石は、前記照明カバーの前記長手方向に沿った端部の一部又は全部に設けられている、
ことを特徴とするエスカレータ用照明カバー装置。
【請求項３】
請求項１に記載のエスカレータ用照明カバー装置であって、
前記第１の保持部材は係合部を有し、
前記取付部は、前記第１の保持部材の前記係合部と係合する被係合部を有し、
前記磁石は、前記係合部及び前記被係合部のうちの少なくとも一方に設けられている、
ことを特徴とするエスカレータ用照明カバー装置。
【請求項４】
請求項１に記載のエスカレータ用照明カバー装置であって、
前記照明カバーの前記長手方向に沿った端部の一部又は全部に設けられた金属部材を更に備え、
前記磁石は、前記長手方向に沿って前記取付部に設けられており、
前記照明カバーに設けられた前記金属部材が前記取付部に設けられた前記磁石に取り付けられることで、前記照明カバーが前記取付部に取り付けられる、
ことを特徴とするエスカレータ用照明カバー装置。
【請求項５】
請求項１から請求項４のいずれか一項に記載のエスカレータ用照明カバー装置であって、
前記照明カバーはガラスクロスである、
ことを特徴とするエスカレータ用照明カバー装置。
【発明の詳細な説明】
【技術分野】
【０００１】
本発明は、エスカレータに設けられた照明を収容するエスカレータ用照明カバー装置に関する。
【背景技術】
【０００２】
従来、エスカレータの移動手摺の下に設けられた照明を覆う照明カバーはアクリル樹脂で構成されており、アクリル樹脂の撓みを利用することで照明カバーの取り付け及び取り外しが行われている。
【０００３】
また、下記の特許文献１には、照明カバーの上端部にスライド移動可能な可動係合部を設け、当該可動係合部をスライドさせることで、移動手摺に設けられた被係合部に照明カバーを嵌め込むようにした照明カバー装置が開示されている。
【先行技術文献】
【特許文献】
【０００４】
【特許文献１】特開２００９−１６６９９７号公報
【発明の概要】
【発明が解決しようとする課題】
【０００５】
従来においては、アクリル樹脂の撓みによって照明カバーを設置箇所に嵌め込むため、経年劣化すると照明カバーが損傷するおそれがある。例えば、照明が切れて照明を取り替える際に照明カバーが割れてしまうおそれがある。また、作業員は、エスカレータのステップ側から移動手摺の外側に身を乗り出して移動手摺の下に照明カバーを取り付ける必要があるため、取り付け及び取り外しの作業が困難であり、作業中に照明カバーを落としてしまうおそれもある。
【０００６】
特許文献１に記載の照明カバー装置によると、照明カバーの損傷を防止することができると考えられる。しかしながら、作業員はステップ側から移動手摺の外側に身を乗り出した状態で作業を行う必要があるため、そのような身を乗り出した状態で可動係合部をスライドさせて照明カバーの取り付け又は取り外しを行うことは、熟練の作業員であっても困難である。
【０００７】
本発明は、照明カバーの損傷を防止するとともに、照明カバーの取り付け及び取り外しが容易なエスカレータ用照明カバー装置を提供することである。
【課題を解決するための手段】
【０００８】
請求項１に係る発明は、エスカレータの移動手摺の下に設けられた照明を収容するエスカレータ用照明カバー装置であって、前記移動手摺の下において前記移動手摺の長手方向に沿って設けられた取付部と、前記長手方向に沿って前記取付部の下方に取り付けられ、前記移動手摺の下に設けられた前記照明を覆う照明カバーと、前記取付部及び前記照明カバーのうちの少なくとも一方に設けられ、磁力によって前記照明カバーを前記取付部に取り付ける磁石と、を備え、前記照明カバーは布状の部材であり、前記照明カバーの前記長手方向の両端部には、前記照明カバーを保持しつつ前記両端部における前記照明カバーの変形を規制する第１の保持部材が設けられており、前記照明カバーの前記長手方向に沿って所定間隔毎に、前記照明カバーを保持しつつ前記照明カバーの変形を規制する第２の保持部材が設けられている、ことを特徴とするエスカレータ用照明カバー装置である。
【０００９】
請求項２に係る発明は、請求項１に係るエスカレータ用照明カバー装置であって、前記磁石は、前記照明カバーの前記長手方向に沿った端部の一部又は全部に設けられている、ことを特徴とする。
【００１１】
請求項３に係る発明は、請求項１に記載のエスカレータ用照明カバー装置であって、前記第１の保持部材は係合部を有し、前記取付部は、前記第１の保持部材の前記係合部と係合する被係合部を有し、前記磁石は、前記係合部及び前記被係合部のうちの少なくとも一方に設けられている、ことを特徴とする。
【００１２】
請求項４に係る発明は、請求項１に係るエスカレータ用照明カバー装置であって、前記照明カバーの前記長手方向に沿った端部の一部又は全部に設けられた金属部材を更に備え、前記磁石は、前記長手方向に沿って前記取付部に設けられており、前記照明カバーに設けられた前記金属部材が前記取付部に設けられた前記磁石に取り付けられることで、前記照明カバーが前記取付部に取り付けられる、ことを特徴とする。
【００１５】
請求項５に係る発明は、請求項１から請求項４のいずれか一項に記載のエスカレータ用照明カバー装置であって、前記照明カバーはガラスクロスである、ことを特徴とする。
【発明の効果】
【００１６】
本発明によると、撓みによって照明カバーの取り付けを行うのではなく、磁力によって照明カバーを取付部に取り付けるため、照明カバーの損傷を防止することができ、照明カバーの取り付け及び取り外しが容易となる。
【図面の簡単な説明】
【００１７】
【図１】本発明の第１実施形態に係るエスカレータ用照明カバー装置を示す断面図である。
【図２】本発明の第１実施形態に係る照明カバーを示す斜視図である。
【図３】本発明の第１実施形態に係る照明カバーを展開した状態を示す斜視図である。
【図４】本発明の第１実施形態に係るエスカレータ用照明カバー装置を示す側面図である。
【図５】本発明の第１実施形態に係る照明カバーの別の例を示す斜視図である。
【図６】本発明の第１実施形態に係る照明カバーの別の例を展開した状態を示す斜視図である。
【図７】変形例１に係るエスカレータ用照明カバー装置を示す断面図である。
【図８】変形例１に係る照明カバーを示す斜視図である。
【図９】変形例１に係る照明カバーの別の例を示す斜視図である。
【図１０】本発明の第２実施形態に係るエスカレータ用照明カバー装置を示す断面図である。
【図１１】本発明の第２実施形態に係る照明カバーを示す斜視図である。
【図１２】本発明の第２実施形態に係るエスカレータ用照明カバー装置を示す側面図である。
【図１３】本発明の第２実施形態に係るエスカレータ用照明カバー装置を示す側面図である。
【図１４】変形例２に係るエスカレータ用照明カバー装置を示す断面図である。
【図１５】変形例３に係るエスカレータ用照明カバー装置を示す断面図である。
【発明を実施するための形態】
【００１８】
［第１の実施の形態］
図１から図４を参照して、本発明の第１実施形態に係るエスカレータ用照明カバー装置について説明する。図１は、第１実施形態に係るエスカレータ用照明カバー装置の断面図である。図２は第１実施形態に係る照明カバーの一部の斜視図であり、図３は第１実施形態に係る照明カバーを展開した状態を示す斜視図である。図４は、第１実施形態に係るエスカレータ用照明カバー装置の側面図であり、照明カバーをスライドさせた状態を示す図である。
【００１９】
図１及び図４に示すように、第１実施形態に係るエスカレータ用照明カバー装置は、照明カバー１と磁石２と取付部３とを備え、エスカレータの移動手摺５の下方に設けられた照明４を収容する。照明４には、例えば蛍光灯、ＬＥＤ又は白熱電球等が用いられる。例えば図４に示すように、照明４はソケット４１に取り付けられ、移動手摺５の下方において移動手摺５の長手方向に沿って設けられている。
【００２０】
図１及び図４に示すように、取付部３は移動手摺５の下方において移動手摺５の長手方向に沿って設けられ、下方の面が開口して照明４を上方側から覆って内部に収容する。照明カバー１は、移動手摺５の長手方向に沿って取付部３の下部に取り付けられ、照明４を下方側から覆って内部に収容する。すなわち、取付部３の開口した下方の面を照明カバー１で覆うことで、照明カバー１と取付部３とによって照明４を囲んで照明４を内部に収容する。照明カバー１は磁石２の磁力によって取付部３に取り付けられる。
【００２１】
照明カバー１の材料は特に限定されないが、例えば、布状の部材又は紙等が用いられ、不燃性の布状の部材が用いられることが好ましい。例えば、照明カバー１の材料として、特開２００７−２２０５６１に記載されている不燃性のガラスクロス等を用いてもよい。また照明カバー１は可撓性を有することが好ましい。照明カバー１に布状の部材や紙を用いることで、照明カバー１が軽量となるため、取付部３への照明カバー１の取り付けが容易となる。また、照明カバー１に布状の部材や紙を用いることで、照明カバー１を湾曲させたり折り曲げたりすることができるため、照明カバー１の取り扱いが容易となり、また、経年劣化による照明カバー１の破損を防止できる。なお、照明カバー１の材料として、アクリル等の樹脂を用いても構わない。
【００２２】
図２及び図３に、照明カバー１及び磁石２を示す。照明カバー１には、移動手摺５の長手方向に沿った両端部（縁）の外側にそれぞれ磁石２が設けられている。磁石２は、例えば接着剤等によって照明カバー１に固定されている。一例として、磁石２は、照明カバー１の長手方向に沿った両端部の全体にわたって設けられている。磁石２には例えば永久磁石が用いられる。照明カバー１に布状の部材又は紙を用いて照明カバー１を平面状に展開した場合、図３に示すように、展開された照明カバー１は例えば矩形状の形状を有する。そして、両端部にそれぞれ設けられた磁石２が照明カバー１の外側に向くように、移動手摺５の長手方向に沿って照明カバー１を湾曲させることで、図２に示す照明カバー１の形状となる。なお、照明４の長手方向の長さに合わせて、照明カバー１をカットしてもよい。
【００２３】
なお、磁石２の設置場所は、図２及び図３に示す例に限定されない。ここで、図５及び図６に、照明カバー及び磁石の別の構成例を示す。図５は照明カバーの一部の斜視図であり、図６は照明カバーを展開した状態を示す斜視図である。例えば図５及び図６に示すように、磁石２は、照明カバー１の長手方向に沿った両端部の外側の一部に設けられていてもよい。例えば、複数の磁石２が、互いに所定間隔の距離をおいて照明カバー１の長手方向に沿った両端部の外側に設けられていてもよい。
【００２４】
図１に示すように、取付部３の下方の両端部は内側に折り曲げられた形状を有し、当該折り曲げられた部分が被係合部３１を構成する。換言すると、被係合部３１はＬ字状の形状を有する。取付部３の下方の両端部の内側は金属で構成されている。または、取付部３の下方の両端部の内面に、長手方向に沿って金属部材を張り付けてもよい。なお、取付部３の全体が金属で構成されていてもよい。
【００２５】
照明カバー１を取付部３に取り付ける場合、図２に示すように照明カバー１を長手方向に沿って湾曲させ、照明カバー１の両端部にそれぞれ設けられた磁石２を取付部３の下方の両端部のそれぞれの内側に接触させる。取付部３の下方の端部の内側を金属で構成することで、磁石２の磁力によって照明カバー１を取付部３に取り付ける。照明カバー１が弛まないように、照明カバー１を緊張させた状態とすることが好ましい。また、取付部３の下方の両端部のそれぞれの内側に磁石を設け、磁石同士の磁力によって照明カバー１を取付部３に取り付けてもよい。
【００２６】
磁力によって照明カバー１が取付部３に取り付けられているため、磁力以上の力で照明カバー１を取付部３から引っ張ることで、照明カバー１を取付部３から容易に取り外すことができる。
【００２７】
そして、図４に示すように、照明カバー１を移動手摺５の長手方向にスライドさせることで取付部３の下方の面を開口させ、照明４をソケット４１に取り付けたり、照明４をソケット４１から取り外したりすることができる。または、照明カバー１を取付部３から取り外し、照明４の取り付け又は取り外しを行った後、照明カバー１を取付部３に再び取り付けてもよい。
【００２８】
以上のように、第１実施形態に係るエスカレータ照明用カバー装置によると、撓みによって照明カバー１を取付部３に取り付けるのではなく、磁石２の磁力によって照明カバー１を取付部３に取り付けるため、照明カバー１の損傷を防止することができ、照明カバー１の取り付け及び取り外しが容易となる。すなわち、照明カバー１を撓ませなくても、磁石２の磁力によって照明カバー１を取付部３に取り付けることができるため、取り付け及び取り外し時における照明カバー１の損傷を防止することができる。また、作業員がエスカレータのステップ側から移動手摺５の外側に身を乗り出して作業を行う場合であっても、磁石２の磁力を利用することで、複雑な操作を行わずに、照明カバー１の取り付け及び取り外しを容易に行うことができる。このように、照明カバー１の取り付け及び取り外しの作業効率が向上し、照明４の交換作業の効率も向上する。また、上述したように、照明カバー１に布状の部材又は紙を用いることで、照明カバー１が軽量となるため、照明カバー１の取り付け及び取り外しがより容易になる。
【００２９】
また、図１に示すように、取付部３のＬ字状の被係合部３１に照明カバー１の磁石２を引っ掛けることで、磁石２が下方にずれて照明カバー１が取付部３から外れてしまうことを防止できる。例えば、エスカレータの振動等によって磁石２が下方にずれたとしても、磁石２の下方へのずれがＬ字状の被係合部３１によって止まるため、磁石２が取付部３から外れてしまうことを防止し、そのことにより、照明カバー１が取付部３から外れてしまうことを防止できる。すなわち、磁石２による磁力と被係合部３１による係合とによって、照明カバー１を取付部３により強固に取り付けることができる。従って、例えば、磁石２の磁力が比較的弱くても、磁石２と被係合部３１との係合によって照明カバー１が取付部３から外れ難くなる。また、磁力が比較的弱い磁石２を用いることで、磁力が比較的強い磁石２を用いる場合と比べて、より弱い力で照明カバー１を取付部３から取り外すことができるため、照明カバー１の取り外しがより容易となる。なお、取付部３の下方の両端部を直線状とし、被係合部３１を取付部３に形成しなくてもよい。
【００３０】
（変形例１）
次に、図７から図９を参照して、変形例１に係るエスカレータ用照明カバー装置について説明する。上述した第１実施形態においては、照明カバー１に磁石２が設けられている場合について説明したが、取付部３に磁石２が設けられ、照明カバー１に金属部材が設けられていてもよい。図７は、変形例１に係るエスカレータ用照明カバー装置を示す断面図である。図８は変形例１に係る照明カバーの一部の斜視図であり、図９は変形例１に係る照明カバーの別の例の一部の斜視図である。
【００３１】
図７に示すように、取付部３の下方の両端部は内側に折り曲げられた形状を有し、当該折り曲げられた部分が被係合部３１を構成する。取付部３の下方の両端部のそれぞれの内側に、磁石２が設けられている。磁石２は、例えば接着剤等によって取付部３の下方の両端部のそれぞれの内側に固定されている。磁石２は、移動手摺５の長手方向に沿って取付部３の下方の両端部のそれぞれの内側の全体又は一部に設けられている。
【００３２】
図８に、変形例１に係る照明カバー１を示す。変形例１に係る照明カバー１には、移動手摺５の長手方向に沿った両端部（縁）のそれぞれの外側に金属部材１１が設けられている。金属部材１１は、例えば接着剤等によって照明カバー１に固定されている。図８に示す例では、金属部材１１は、照明カバー１の長手方向に沿った両端部の全体にわたって設けられている。すなわち、変形例１においては、磁石２の代わりに、金属部材１１が照明カバー１に固定されている。また、図９に示すように、金属部材１１は、照明カバー１の長手方向に沿った両端部のそれぞれの外側の一部に設けられていてもよい。例えば、複数の金属部材１１が、互いに所定間隔の距離をおいて照明カバー１の長手方向に沿った両端部のそれぞれの外側に設けられていてもよい。
【００３３】
そして、照明カバー１を取付部３に取り付ける場合、照明カバー１を長手方向に沿って湾曲させ、照明カバー１の両端部のそれぞれに設けられた金属部材１１を取付部３の下方の両端部のそれぞれの内側に設けられた磁石２に接触させることで、磁石２の磁力によって照明カバー１を取付部３に取り付ける。また、第１実施形態に係る照明カバー１と同様に、照明カバー１に磁石２を設け、磁石同士の磁力によって照明カバー１を取付部３に取り付けてもよい。
【００３４】
変形例１に係るエスカレータ用照明カバー装置によっても、上述した第１実施形態に係るエスカレータ用照明カバー装置と同じ効果を奏することができる。
【００３５】
［第２の実施の形態］
次に、図１０から図１３を参照して、本発明の第２実施形態に係るエスカレータ用照明カバー装置について説明する。図１０は、第２実施形態に係るエスカレータ用照明カバー装置の断面図である。図１１は、第２実施形態に係る照明カバーを示す斜視図である。図１２は、第２実施形態に係るエスカレータ用照明カバー装置の側面図であり、照明カバーをスライドさせた状態を示す図である。図１３は、第２実施形態に係るエスカレータ用照明カバー装置を示す側面図である。
【００３６】
上述した第１実施形態及び変形例１においては、照明カバー１に磁石２又は金属部材１１が設けられている場合について説明したが、照明カバー１に金具等の保持部材が設けられ、当該保持部材に磁石２が設けられていてもよい。
【００３７】
図１０及び図１１に示すように、照明カバー１の長手方向の両端部に、照明カバー１を保持する保持部材６が取り付けられている。例えば、照明カバー１の長手方向の両端部の外側をコの字形状の保持部材６で囲み、保持部材６を当該両端部の外側に貼り付ける。また、保持部材６の上部の両端部のそれぞれの外側に磁石２が設けられている。磁石２は、例えば接着剤等によって保持部材６に固定されている。なお、保持部材６が「第１の保持部材」の一例に相当する。図１０及び図１１に示す保持部材６はコの字状の形状を有するが、この例は一例であり、保持部材６は湾曲した形状を有していてもよい。
【００３８】
照明カバー１を取付部３に取り付ける場合、保持部材６の両端部にそれぞれ設けられた磁石２を取付部３の下方の両端部のそれぞれの内側に接触させる。取付部３の下方の両端部の内側を金属又は磁石で構成することで、磁石２の磁力によって照明カバー１を取付部３に取り付ける。照明カバー１が弛まないように、両端部に設けられた保持部材６を長手方向に引っ張ることで照明カバー１を緊張させた状態とすることが好ましい。
【００３９】
そして、図１２に示すように、保持部材６を移動手摺５の長手方向にスライドさせることで、照明カバー１を長手方向にスライドさせて取付部３の下方の面を開口させ、照明４をソケット４１に取り付けたり、照明４をソケット４１から取り外したりすることができる。または、保持部材６を取付部３から取り外すことで照明カバー１を取付部３から取り外し、照明４の取り付け又は取り外しを行った後、照明カバー１を取付部３に再び取り付けてもよい。なお、照明カバー１の両端部のみならず、複数の箇所に保持部材６を設けてもよい。
【００４０】
また、エスカレータにおいて移動手摺５が湾曲している箇所においては、図１３に示すように、長手方向に沿って所定間隔おきに照明カバー１を保持する保持部材７を設けてもよい。例えば、照明カバー１の外側をコの字形状の保持部材７で囲み、保持部材７を照明カバー１の外側に貼り付けることで、照明カバー１の変形が規制され、移動手摺５の湾曲によって照明カバー１が弛むことを防止できる。保持部材７には、例えば透明なプラスチック等の樹脂や金具等が用いられる。なお、上述した第１実施形態及び変形例１に係る照明カバー１に、保持部材７を設けてもよい。保持部材７が「第２の保持部材」の一例に相当する。
【００４１】
以上のように、第２実施形態に係るエスカレータ用照明カバー装置によっても、上述した第１実施形態に係るエスカレータ用照明カバー装置と同じ効果を奏することができる。また、照明カバー１に保持部材６を設けることで、作業員は保持部材６を持って照明カバー１の取り付け及び取り外しができるため、照明カバー１の取り扱いがより容易となる。また、保持部材６によって照明カバー１の変形が規制されるため、照明カバー１の取り扱いが容易となる。
【００４２】
また、上述した変形例１に係るエスカレータ用照明カバー装置と同様に、取付部３に磁石２を設け、保持部材６に磁石２を設けなくてもよい。この場合、保持部材６として金具（金属部材）を用いることで、保持部材６が取付部３の磁石２に取り付けられ、照明カバー１が取付部３に取り付けられる。
【００４３】
（変形例２）
次に、図１４を参照して、変形例２に係るエスカレータ用照明カバー装置について説明する。図１４は、変形例２に係るエスカレータ用照明カバー装置を示す断面図である。変形例２においては、保持部材６の上部の両端部が外側に折れ曲がった形状を有し、当該折れ曲がった部分が係合部６１を構成する。換言すると、係合部６１はＬ字状の形状を有する。磁石２は、係合部６１の先端に固定されている。係合部６１以外の構成は、上述した第２実施形態に係るエスカレータ用照明カバー装置の構成と同じである。
【００４４】
照明カバー１を取付部３に取り付ける場合、取付部３のＬ字状の被係合部３１に保持部材６の係合部６１を引っ掛けることで、磁石２が下方にずれて照明カバー１が取付部３から外れてしまうことを防止できる。このように、磁石２による磁力、及び、係合部６１と被係合部３１との係合によって、照明カバー１を取付部３により強固に取り付けることができる。また、磁石２の磁力が比較的弱くても、係合部６１と被係合部３１との係合によって照明カバー１が取付部３から外れ難くなる。また、磁力が比較的弱い磁石２を用いることで、磁力が比較的強い磁石を用いる場合と比べて、より弱い力で照明カバー１を取付部３から取り外すことができるため、照明カバー１の取り外しがより容易となる。なお、取付部３に磁石２を設けてもよい。取付部３に磁石２を設けた場合、保持部材６の係合部６１に磁石２を設けなくてもよい。
【００４５】
（変形例３）
次に、図１５を参照して、変形例３に係るエスカレータ用照明カバー装置について説明する。図１５は、変形例３に係るエスカレータ用照明カバー装置を示す断面図である。上述した変形例２においては、Ｌ字状の形状を有する係合部６１及び被係合部３１によって保持部材６と取付部３とを係合させる場合について説明した。変形例３では、突起部と凹部とを嵌合させることで、保持部材６と取付部３とを係合させる。
【００４６】
図１５（ａ）及び図１５（ｂ）に示すように、例えば、保持部材６の上部の両端部の外側に磁石２が固定されている。磁石２には取付部３の下方の端部の内側に対向する面に、突起部２１が設けられている。突起部２１は磁石２の一部であってもよいし、磁石２とは異なる部材で構成されていてもよい。また、取付部３の下方の両端部の内側には、突起部２１が嵌合する凹部３２が形成されている。そして、照明カバー１を取付部３に取り付ける場合、突起部２１を取付部３の凹部３２に嵌め込む。取付部３の下方の両端部の内側を金属又は磁石で構成することで、磁石２の磁力によって照明カバー１を取付部３に取り付ける。また、突起部２１と凹部３２とが嵌合することで、照明カバー１を取付部３により強固に取り付けることができる。
【００４７】
また、別の例として、図１５（ｃ）に示すように、取付部３の下方の両端部の内側に突起部３３を設け、磁石２には取付部３の下方の端部の内側に対向する面に凹部２２を形成してもよい。突起部３３と凹部２２とが嵌合することで、照明カバー１を取付部３により強固に取り付けることができる。また、取付部３に磁石２を設け、当該磁石２に突起部又は凹部の一方を形成してもよい。取付部３に磁石２を設けた場合、保持部材６に磁石２を設けなくてもよい。
【符号の説明】
【００４８】
１  照明カバー、２  磁石、３  取付部、４  照明、５  移動手摺、６，７  保持部材、１１  金属部材、２１，３３  突起部、２２，３２  凹部、３１  被係合部、４１  ソケット、６１  係合部。
【図１】
0005808266.tif 000002
【図２】
0005808266.tif 000003
【図３】
0005808266.tif 000004
【図４】
0005808266.tif 000005
【図５】
0005808266.tif 000006
【図６】
0005808266.tif 000007
【図７】
0005808266.tif 000008
【図８】
0005808266.tif 000009
【図９】
0005808266.tif 000010
【図１０】
0005808266.tif 000011
【図１１】
0005808266.tif 000012
【図１２】
0005808266.tif 000013
【図１３】
0005808266.tif 000014
【図１４】
0005808266.tif 000015
【図１５】
0005808266.tif 000016